(57)【要約】    【課題】  動物やアニメ等のキャラクタが有する耳の形状を模した耳体を備えた髪止め具であって小さい子供から大人まで使用することができ、長時間装着しても痛みを起させることがない髪止め具と、髪止め具を保持する台紙及び、そのような髪止め具と台紙の組合体を提供する。    【解決手段】  組合体１は、髪止め具３、４と台紙５により構成され、台紙５は可撓性を有すると共に動物やアニメ等のキャラクタの顔部分７が描かれ、髪止め具３、４は耳体３１，４１を髪止め本体３３、４３に別々に配設することにより左右一対に形成したことを特徴とする。【選択図】  図１
2006141708.tif 000002
【特許請求の範囲】
【請求項１】
少なくとも動物やアニメ等のキャラクタが有する耳の形状を模した左右の耳体を髪止め本体に別々に配設して左右一対に形成したことを特徴とする髪止め具。
【請求項２】
請求項１に記載の髪止め具において、
前記耳体は、前記髪止め本体に立設された状態で取着されていると共に、弾性体により押倒復帰可能に構成されたことを特徴とする髪止め具。
【請求項３】
可撓性を有し、少なくとも動物やアニメ等のキャラクタの顔部分が描かれた当該キャラクタの左右の耳が位置する部分に、前記キャラクタが有する左右の耳の形状を模した耳体を髪止め本体に別々に配設して形成された左右一対の髪止め具がそれぞれ着脱可能に取り付けられるようにされたことを特徴とする台紙。
【請求項４】
請求項３に記載の台紙において、
前記台紙には、描かれた前記キャラクタの両耳が位置する部分近傍にスリット部が設けられ、当該スリット部に前記髪止め具を挿入して固定するようにされたことを特徴とする台紙。
【請求項５】
少なくとも動物やアニメ等のキャラクタの顔部分が描かれた可撓性を有する台紙と、
前記キャラクタが有する左右の耳の形状を模した耳体を髪止め本体に別々に配設することにより左右一対に形成した髪止め具と、
を備え、
前記髪止め具は、前記台紙に描かれた前記キャラクタの左右の耳が位置する部分にそれぞれ着脱可能に取り付けられて構成されたことを特徴とする組合体。
【請求項６】
請求項１から５に記載の髪止め具において、
前記髪止め具は、左右一対に連結する連結手段が設けられていることを特徴とする髪止め具。
【発明の詳細な説明】
【技術分野】
【０００１】
本発明は、髪止め具と台紙及びそれらの組合体に関し、さらに詳しくは、動物やアニメ等のキャラクタが有する耳の形状を模した耳体を備えた髪止め具とその髪止め具を保持するための台紙及びそれらの組合体に関する。
【背景技術】
【０００２】
従来、動物やアニメ等のキャラクタになりきるためのグッズとして、髪をまとめるための道具の一つであるカチューシャにそれら動物やアニメ等のキャラクタが有する耳の形状を模した耳体を取り着けたものが知られている（以下「カチューシャタイプ」という）。
【０００３】
カチューシャは、可撓性を有する帯体を略円弧状に湾曲させて形成され、その両端部がそれぞれ耳の後ろ側に位置するようにして頭部の頂部付近に装着して使用する髪止め具の一つである。ここで、カチューシャは脱落しないように頭部を挟み込んで使用するものであるため長時間使用した場合に頭部を挟持している部分が圧迫され痛みを感じてくることがある。また、長時間の使用に伴い髪の毛に癖がついてしまうことがある。そのため、そのようなことになりにくいカチューシャが提案されている（特許文献１）。
【特許文献１】特開２０００−９３２２７号公報
【発明の開示】
【発明が解決しようとする課題】
【０００４】
しかしながら、上述のカチューシャタイプは、カチューシャに動物やアニメ等のキャラクタが有する両耳を取り付けられているので全体のサイズが大きくなりすぎてしまい持ち運びに不便であるという問題がある。
また、カチューシャは使用者の頭の大小に基づいてサイズや形状を複数設けることが好ましいが実際にはそのようなサイズ分けして販売されておらず子供も大人も同じものを購入し使用しているのが実情である。従って、そのようなカチューシャに様々な工夫を施したとしても長時間使用した場合の痛みや髪に癖が付くといった不快感を完全に除去するのは不可能である。
【０００５】
そこで、本発明は、かかる従来の問題点を解決し、従来のカチューシャタイプのものに比べて小さくしかも持ち運びに便利な動物やアニメ等のキャラクタが有する耳を備えた左右一対の髪止め具を提供することを目的とする。また、頭部に装着しても痛みを感じることなく、しかも髪の毛に変な癖が付きにくい動物やアニメ等のキャラクタが有する耳を備えた左右一対の髪止め具を提供することを目的とする。
【０００６】
また、本発明は、そのような左右一対の髪止め具を、保管、展示、販売等する際に都合の良い台紙をも提供することを目的とする。
さらに、本発明は、そのような髪止め具と台紙が一体となった組合体を提供することを目的とする。
【課題を解決するための手段】
【０００７】
上記課題を解決するために請求項１に記載の本発明は、少なくとも動物やアニメ等のキャラクタが有する耳の形状を模した左右の耳体を髪止め本体に別々に配設して左右一対に形成したことを特徴とする髪止め具を提供する。
髪止め本体に動物やアニメ等のキャラクタが有する左右の耳のうち一方側の耳の形状を模した耳体を取り付け、２個一対として形成する。
【０００８】
上記課題を解決するために請求項２に記載の本発明は、請求項１に記載の髪止め具において、耳体は、髪止め本体に立設された状態で取着されていると共に、弾性体により押倒復帰可能に構成されたことを特徴とする。
髪止め本体に板バネ等の弾性体を用いて耳体を立設させて取り付ける。これにより耳体に力が加わって横倒されても弾性体の弾性力により元の状態に復帰する。
【０００９】
上記課題を解決するために請求項３に記載の本発明は、可撓性を有し、少なくとも動物やアニメ等のキャラクタの顔部分が描かれた当該キャラクタの左右の耳が位置する部分に、キャラクタが有する左右の耳の形状を模した耳体を髪止め本体に別々に配設して形成された左右一対の髪止め具がそれぞれ着脱可能に取り付けられるようにされたことを特徴とする台紙を提供する。
台紙に描かれた動物やアニメ等のキャラクタの顔部のうち耳が位置する部分に耳体を備えた髪止め具を位置させて固定する。これにより実際の髪止め具が台紙に描かれた動物やアニメ等のキャラクタの耳を構成しつつ髪止め具が台紙に保持固定される。
【００１０】
上記課題を解決するために請求項４に記載の本発明は、請求項３に記載の台紙において、台紙には、描かれたキャラクタの両耳が位置する部分近傍にスリット部が設けられ、スリット部に髪止め具を挿入して固定するようにされたことを特徴とする。
台紙に描かれた動物やアニメ等のキャラクタの耳の部分に髪止め具を挿入するためのスリット部を設けて台紙への髪止め具の固定を容易ならしめる。
【００１１】
上記課題を解決するために請求項５に記載の本発明は、少なくとも動物やアニメ等のキャラクタの顔部分が描かれた可撓性を有する台紙と、キャラクタが有する左右の耳の形状を模した耳体を髪止め本体に別々に配設することにより左右一対に形成した髪止め具とを備え、髪止め具は、台紙に描かれたキャラクタの左右の耳が位置する部分にそれぞれ着脱可能に取り付けられて構成されたことを特徴とする組合体を提供する。
台紙には動物やアニメ等のキャラクタの少なくとも顔の部分が描かれていると共に、髪止め具にはその動物やアニメ等のキャラクタが有する耳の形状を模した耳体を備えており、髪止め具の耳体が台紙に描かれた左右の耳の部分に位置するようにして保持固定されて一体に構成される。
【００１２】
上記課題を解決するために請求項６に記載の本発明は、請求項１から５に記載の髪止め具において、髪止め具は、左右一対に連結する連結手段が設けられていることを特徴とする。
左右一対の髪止め具が磁石や係止手段等の連結手段により分離しないように互いに連結可能とされている。
【発明の効果】
【００１３】
本発明に係る髪止め具によれば、少なくとも動物やアニメ等のキャラクタが有する耳の形状を模した左右の耳体を髪止め本体に別々に配設して左右一対に形成したので、従来のカチューシャタイプのものに比べて頭部を挟み込んで装着するものではないことから長時間装着しても痛みを起させることはなく、しかも髪の毛に変な癖をつけることがないという効果がある。加えて、小さい子供から大人まで頭の大きさを気にすることなく装着することができるという効果がある。
また、全体の大きさもカチューシャタイプのものに比べて小さいので持ち運びにも便利であるという効果がある。
【００１４】
本発明に係る台紙によれば、台紙は可撓性を有して構成されているので、髪止め具を台紙に保持固定させても台紙は髪止め具の有する湾曲に沿って変形し髪止め具に負荷をかけることがないという効果がある。また、台紙には動物やアニメ等のキャラクタが描かれているので髪止め具が台紙に取り付けられることにより全体としてその動物やアニメ等のキャラクタが現れるという効果がある。
【００１５】
本発明に係る組合体によれば、少なくとも動物やアニメ等のキャラクタの顔部分が描かれた可撓性を有する台紙と、キャラクタが有する左右の耳の形状を模した耳体を髪止め本体に別々に配設することにより左右一対に形成した髪止め具とを備え、髪止め具は、台紙に描かれたキャラクタの左右の耳が位置する部分にそれぞれ着脱可能に取り付けられて構成したので、左右一対の髪止め具の保管、展示、販売等する際に紛失の有無や使用状態等が一目でわかるという効果がある。
【発明を実施するための最良の形態】
【００１６】
以下、本発明に係る髪止め具と台紙及びそれらの組合体について、図示された好ましい一実施形態に基づいて、さらに詳しく説明する。図１は本発明に係る髪止め具と台紙の組合体の一実施形態における平面図である。
【００１７】
図示された組合体１は、髪止め具３、４と台紙５により構成されており、台紙５に髪止め具３、４が装着された状態で保持固定されている。
髪止め具３、４は、それぞれ髪止め本体３３、４３と耳体３１、４１とを備えて構成されている。その詳細については図２に示された髪止め具４に基づいて説明するが髪止め具３も同様の構成を備えている。但し、髪止め具３にはリボン３９が取着されている点で髪止め具４とは相違している。
【００１８】
髪止め具４は、髪止め本体４３に動物やアニメ等のキャラクタが有する耳のうち右の耳７ｂ（向かって左側）の形状を模した耳体４１が配設されて構成されている。一方、髪止め本体３３にはそのキャラクタが有する左の耳７ａ（向かって右側）の形状を模した耳体３１が配設されて構成されている（図１参照）。
髪止め具４の髪止め本体４３は、図３（ａ）（ｂ）に最もよく示されているように、金属製の薄板を打抜き加工することにより先端部４３ｃ側を狭く、基端部４３ｄ側を幅広にした細長い略三角形状を備えて形成されている。また、髪止め本体４３の中央部には基端部４３ｄ側から斜め下側に向かって片持ち梁状に髪押さえ部４３ｂが形成されている。そして、髪止め本体４３は全体としてその表面が反ったように湾曲しており、この形状により発揮されるバネ性によって表面側又は裏面側に湾曲させた状態で保持させることが可能となっている。かかる構造により、髪止め本体４３の長手方向の中間部４３ａ付近を裏側から支えながら先端部４３ｃ側と基端部４３ｄ側を下側（図３（ａ）におけるＡ方向）に向かって押し下げると髪止め本体３３の中間部４３ａ付近が上側に湾曲し、髪押さえ部４３ｂが髪止め本体４３と略同一面上に位置した状態で保持される。この状態のときに髪押さえ部４３ｂによって髪の毛が挟持されて髪の毛がその状態で保持される。
【００１９】
逆に、髪止め本体４３の長手方向の中間部４３ａ付近を表側から押さえながら先端部４３ｃ側と基端部４３ｄ側を上側（上述とは逆方向）に押し上げると髪止め本体４３が反対側に湾曲して髪押さえ部４３ｂが髪止め本体４３から離れた状態となる。この状態のときに髪止め本体４３は髪の毛から外される。
【００２０】
髪止め本体３３、４３は上記した形状に限られるものではなく、例えば図５に示すような形状を備えたものであってもよい。すなわち、図示された髪止め本体４９は、上部側挟持片４９ａと、下部側挟持片４９ｂが基端部側で連結され、その連結部分を貫通するようにして挿通された軸４９ｄを支点として相対的に開閉するようにされている。そして、上部側挟持片４９ａと下部側挟持片４９ｂとが閉じた状態に保持するように作用するバネ部材４９ｃが軸４９ｄ近傍に配設されて構成されている。この構成により髪止め本体４９の基端部側を指で摘むと上部側挟持片４９ａと下部側挟持片４９ｂが開く（図示された状態）。そして手を離せばバネ部材４９ｃによって上部側挟持片４９ａと下部側挟持片４９ｂが閉じて髪の毛を挟持するようになっている。
【００２１】
本実施形態における髪止め本体３３、４３にはカバー部材３５、４５がそれぞれ被覆されている（図２参照）。カバー部材３５、４５は布材で形成されており、好みの柄が描かれた布材を用いることができる。そして、このカバー部材３５、４５に耳体３１、４１が取着されている。
【００２２】
さらに、髪止め具３、４には、左右一対に連結する連結手段が設けられている。具体的には、図４に示すように、髪止め本体４３の基端部４３ｄ側のカバー部材４５部分には連結手段としての開口部４８が設けられており、この開口部４８にもう一方側の対応する髪止め具３の髪止め本体３３を挿入して固定保持する。これにより髪止め具３、４は台紙５に固定していない状態でも２つがバラバラにならず２個一対として保管収納しておくことができる。
また、連結手段の他の実施形態として、金属製の髪止め本体３３、４３自体を磁性体によって形成することもできる。髪止め本体３３、４３自体が磁性を帯びているので髪止め本体３３、４３同士が互いに引き合って連結される。このように、本実施形態の髪止め本体３３、４３によれば、別途磁石等を取着する必要がないので髪止め本体３３、４３に不要な凹凸を生じさせることがなく違和感なく頭部に装着することができると共に、極めて簡単に連結手段を設けることができる。
【００２３】
耳体３１、４１は、動物やアニメ等のキャラクタが有する耳の形状を模した形状を有して形成されており、左の耳の形状を模した耳体３１が髪止め本体３３に取着され、右の耳の形状を模した耳体４１が髪止め本体４３に取着されており、左右の耳体３１、４１を備えた髪止め具３、４が２個一対として形成されている。
耳体３１、４１は布、合成樹脂等をはじめとする各種の素材を用いて形成することが可能であり、特にその素材が限定されるものではないが、例えば、ベルベット、フェルト、ボア等の厚手の生地により形成することもできる。
また、耳体３１、４１の具体的な形状としては、例えば、ねこ、うさぎ、いぬ、くま等があるが、もちろんこれらのものに限定されるものではなく、適宜選択決定されるべきものであることはいうまでもない。
【００２４】
さらに、耳体３１、４１は、外力を受けて押倒されても再び元の状態に復帰可能に立設されている。具体的には、図２に示すように、耳体４１はその内部に弾性体４７が内装されて立設されている。もちろん、耳体３１も同様の構成を備えている。弾性体４７としては、例えば、金属製や合成樹脂による板バネ等により形成することができる。尚、耳体４１の底部側を幅広に構成して耳体４１の左右側からカバー部材４５に縫着することにより耳体４１自体の復元力によって耳体４１が押倒されても再び元の状態に復帰させるように形成することもできる。
【００２５】
次に、髪止め具３、４を保持固定するための台紙５は、その表面に当該動物やアニメ等のキャラクタの少なくとも顔の部分（顔部７）が描かれており、描かれた動物やアニメ等のキャラクタの左右の耳が位置する部分に耳体３１、４１を備えた髪止め具３、４がそれぞれ着脱可能に取り付けられるようになっている。すなわち、キャラクタの左耳が描かれた台紙５の位置する部分の近傍に左の耳体３１を備えた髪止め具３が保持固定され、右の耳が描かれた台紙５の位置する部分の近傍に右の耳体４１を備えた髪止め具４が保持固定されるようになっている。具体的には、図６に示すように、描かれたキャラクタの両耳が位置する部分近傍の台紙５に切込みにより形成されたスリット部５１ａ、５１ｂが設けられており、このスリット部５１ａ、５１ｂに髪止め具３、４を挿入し、髪の毛を止める場合と同様に、髪止め本体３３、３４を湾曲させることによって保持固定させるようになっている。この場合、台紙５は、可撓性を有して構成されているので髪止め本体３３、３４の湾曲に合わせて台紙５自身も湾曲する。
【００２６】
このような構成を有する台紙５と髪止め具３、４との組合体１によれば、髪止め具３、４を台紙５に保持固定させても台紙５は可撓性を備えているので髪止め具３、４の有する湾曲に沿って変形し、髪止め具３、４の湾曲を阻害することがない。また、台紙５には動物やアニメ等のキャラクタが描かれているので髪止め具３、４が台紙５に取り付けられることにより全体としてその動物やアニメ等のキャラクタが現れるので見た目にも楽しく、しかもその状態で販売、展示、収納、保管等をすることができ、髪止め具３、４の紛失も一目瞭然でわかる。
【００２７】
もちろん髪止め具３、４は実際に着用することが可能であり、着用した状態を図７に示す。かかる髪止め具３、４を実際に着用することによってその動物やアニメ等のキャラクタになった気分を味わうことができる。しかも、従来のカチューシャタイプのものに比べて頭部を挟み込んで装着するものではないので長時間装着しても痛みを起させるということはなく、髪の毛に変な癖をつけることがない。さらに、小さい子供から大人まで頭の大きさを気にすることなく装着することが可能である。また、髪止め具３、４は全体の大きさもカチューシャタイプのものに比べて小さいので持ち運びにも便利である。
【図面の簡単な説明】
【００２８】
【図１】本発明に係る髪止め具と台紙の組合体の一実施形態における平面図である。
【図２】本発明に係る髪止め具の一実施形態における斜視図である。
【図３】（ａ）（ｂ）は髪止め本体の斜視図であり、（ａ）は開いた状態、（ｂ）は閉じた状態を示している。
【図５】髪止め本体の他の実施形態における斜視図である。
【図４】開口部が設けられた髪止め具の底面図である。
【図６】キャラクタの顔が描かれた台紙の平面図である。
【図７】図１に示す髪止め具の使用状態を示す図である。
【符号の説明】
【００２９】
１      組合体
３      髪止め具
４      髪止め具
５      台紙
７      顔部
７ａ      左耳
７ｂ      右耳
３１      耳体
３３      髪止め本体
３５      カバー部材
３９      リボン
４１      耳体
４３      髪止め本体
４５      カバー部材
４７      弾性体
４８      開口部
５１ａ、５１ｂ      スリット部
【図１】
2006141708.tif 000003
【図２】
2006141708.tif 000004
【図３】
2006141708.tif 000005
【図４】
2006141708.tif 000006
【図５】
2006141708.tif 000007
【図６】
2006141708.tif 000008
【図７】
2006141708.tif 000009